(57)【要約】【課題】  多数の帯筋等の重量物を一纏めにして吊り下げ、吊り下げられた重量物を落下させるときには小さな操作力にて落下させることができ、しかも操作順序を間違えたとしても重量物が落下することがなく、操作性及び取扱面において有利な重量物吊下具を提供する。【解決手段】  フック部３を備えた本体部２に、重量物を括った括り部材４を係止する係止部５ａを備えたアーム５を揺動自在に取り付け、係止部５ａが括り部材４の被係止部４ａに係止する位置側へ位置するように前記アーム５を揺動付勢するための付勢手段６を設け、前記アーム５の係止部５ａが係止位置から係止解除側へ揺動されることを接当阻止するためのストッパー部材７を解除操作自在に設け、前記アーム５を係止解除側へ揺動操作するための第１引張部材８及び前記ストッパー部材７を引っ張り力にて解除操作するための第２引張部材９を設ける。【選択図】        図１
2006176230.tif 000002
【特許請求の範囲】
【請求項１】
固定部に引っ掛けて吊り下げ支持するためのフック部を備えた本体部に、重量物を括った括り部材の一端部に備えさせた被係止部に係止するための係止部を備えたアームを揺動自在に取り付け、前記係止部が前記括り部材の被係止部に係止する位置側へ位置するように前記アームを揺動付勢するための付勢手段を設け、前記アームの係止部が係止位置から係止解除側へ揺動されることを接当阻止するためのストッパー部材を解除操作自在に設け、前記アームを係止解除側へ揺動操作するための第１引張部材及び前記ストッパー部材を引っ張り力にて解除操作するための第２引張部材を設け、
前記第２引張部材を引っ張り操作することにより、前記第１引張部材の引っ張り操作を許容することを特徴とする重量物吊下具。
【請求項２】
前記アームの係止位置から係止解除位置までの揺動範囲を規制するための一対の接当部材を前記本体部に備えさせてなる請求項１記載の重量物吊下具。
【請求項３】
前記ストッパー部材が、前記本体部に揺動自在に取り付けられた揺動部材からなり、その揺動部材が前記アームの揺動を接当阻止する接当阻止位置に位置している状態において該揺動部材の接当部の接当方向が該揺動部材の揺動方向と直交する方向になるように該揺動部材を配置してなる請求項１記載の重量物吊下具。
【請求項４】
前記ストッパー部材の接当阻止位置から接当阻止解除位置までの揺動範囲を規制するための一対の第２の接当部材を前記本体部に備えさせてなる請求項１〜３のいずれかに記載の重量物吊下具。
【請求項５】
前記第１引張部材と第２引張部材とは、同一方向に引っ張られることにより前記係止部を係止解除してなる請求項１〜４のいずれかに記載の重量物吊下具。
【請求項６】
前記付勢手段は、その一端が前記本体部に、他端が前記アーム部に保持された引張ばねからなる請求項１〜５のいずれかに記載の重量物吊下具。
【請求項７】
前記重量物が、複数の帯筋からなり、それら複数の帯筋を括る前記括り部材が、チェーン又はワイヤーからなる請求項１〜６のいずれかに記載の重量物吊下具。
【発明の詳細な説明】
【技術分野】
【０００１】
本願発明は、重量物を吊下げる吊下具に係わり、さらに詳しくは鉄筋工事等において使用する帯筋等の重量物を上方に吊下支持する重量物吊下具に関するものである。
【背景技術】
【０００２】
一般的に、鉄骨鉄筋コンクリート造（ＳＲＣ造）柱の施工工事では、鉄骨となる鋼材が横になっている状態で多数本の帯筋を挿通しておき、該鋼材の上部側にこれら多数本の帯筋を一纏めにして吊り下げ可能となるようにバンセン（バインド線）やチェーンで括り、その後この鋼材をクレーンを用いて長手方向が上下になるように起こしてから、下部をアンカーで固定して鉄骨を施行している。そして、多数本の帯筋をほぼ等間隔で配置する工程になると、上部側に括っていたバンセンを切断して帯筋を一旦落下させた後、上側に位置する帯筋から順に配置するようにしていた。
しかしながら、前記のように、多数本の帯筋を上部側で吊り下げている状態では、作業者がこの括られた帯筋を足場として利用することもあり、バンセンで括る場合にはその括りが不十分なときには、意図しない状態で帯筋が落下することもあり非常に危険であった。また、括った帯筋を落下させるときには、バンセンの位置まで移動して切断しなければならない煩わしさがあるだけでなく、落下させるときに下方にいる作業者に気付かずに切断させてしまい、その作業者に怪我をさせる恐れがあった。
そこで、前述の不都合を解消するものとして、例えば次のような重量物保持具が提案されていた。つまり、重量物を吊り下げ支持する重量物保持具は、鉄板や型鋼などの重量物を挟み込むための一対の挟持片を有する二股状（逆Ｕ字状）の保持具本体の上端に、クレーンなどにより吊り上げることができるワイヤーを引っ掛けるための貫通孔を備えさせ、前記保持具の一方の挟持片の外面側に、該挟持片に形成されたピン孔から他方の挟持片に形成されたピン孔まで挿通させるためのピンを摺動自在に備えさせ、他方の挟持片の外側に、該挟持片に形成のピン孔から外部へ突出したピンの先端の係合溝に上方から係合して該ピンのピン孔から抜ける方向への移動を阻止するためのストッパー部材を、上下方向に移動自在で係合する下方側へバネにより移動付勢された状態で備えさせ、前記ピンの基端部にピン孔に挿通状態の該ピンを挿通解除側へ引っ張り操作するための第１ワイヤの一端を連結し、前記下方側へ移動付勢されているストッパー部材を上方側へ引っ張り操作するための第２ワイヤの一端を連結し、前記第２ワイヤを保持具本体に形成された貫通孔に挿通させることによって、保持具本体に対して第１ワイヤと第２ワイヤを同一側から引っ張り操作することができるようにしている。従って、重量物を保持具本体の挟持部材間に配置してから、ピンを一方のピン孔、重量部に形成された貫通孔、他方のピン孔を通して外部へ突出させるとともにストッパー部材をピンの係合溝に係合させて重量物を保持具本体に保持させてからクレーンなどにより上方へ移動させるようにしている。そして、重量物の移動後において重量物を係止解除するときには、前記第２ワイヤを引っ張り操作してストッパー部材をピンに設けられた係合溝から離脱させた後に、第１ワイヤを引っ張り操作することにより前記ピンを挿入孔から離脱させ、重量物の係止状態を解除している（例えば、特許文献１参照。）。
【特許文献１】実開昭６２−１４４２８３号公報
【発明の開示】
【発明が解決しようとする課題】
【０００３】
しかし、特許文献１では、一本一本の重量物を吊り下げるものであるため、多数本の帯筋を一纏めにして吊り下げることができないものであった。又、重量物の重量が加わったピンをスライドさせるためには、第１ワイヤを引っ張り操作するための大きな力を必要とするものであるだけでなく、間違えて第１ワイヤを先に引っ張ってしまい、ピンの係合溝とストッパー部材との係合を強制的に解除させる操作力にてピンを強制的にスライドさせてしまったときに、ピンが離脱してしまう恐れもあり、改善の余地があった。又、ピンをストッパー部材に係合させるまで、第２ワイヤをバネの付勢力に抗して引っ張っておかなければならず、操作性が悪いだけでなく、ピン孔を保持具本体に形成する関係上、保持具本体の強度が低下してしまうことから、保持具本体が厚みのある大きな重量を有するものから構成しなければならず、取扱面においても不利になる不都合もある。
【０００４】
本願発明は、係る問題に鑑み、多数の帯筋等の重量物を一纏めにして吊り下げ、吊り下げられた重量物を落下させるときには小さな操作力にて落下させることができ、しかも操作順序を間違えたとしても重量物が落下することがなく、操作性及び取扱面において有利な重量物吊下具を提供することを目的とする。
【課題を解決するための手段】
【０００５】
本願発明に係る重量物吊下具は、固定部に引っ掛けて吊り下げ支持するためのフック部を備えた本体部に、重量物を括った括り部材の一端部に備えさせた被係止部に係止するための係止部を備えたアームを揺動自在に取り付け、前記係止部が前記括り部材の被係止部に係止する位置側へ位置するように前記アームを揺動付勢するための付勢手段を設け、前記アームの係止部が係止位置から係止解除側へ揺動されることを接当阻止するためのストッパー部材を解除操作自在に設け、前記アームを係止解除側へ揺動操作するための第１引張部材及び前記ストッパー部材を引っ張り力にて解除操作するための第２引張部材を設け、前記第２引張部材を引っ張り操作することにより、前記第１引張部材の引っ張り操作を許容するものである。
従って、重量物を括った括り部材の一端部に備えさせた被係止部をアームの係止部に係止させると、アームが揺動付勢する付勢手段にて括り部材の被係止部に係止する位置側へ保持され、重量物を吊り下げ支持することができる。前記重量物を吊り下げ支持している状態から下方へ落下させる場合には、まず、第２引張部材を引っ張り操作することにより、ストッパー部材を解除操作することで、第１引張部材の引っ張り操作が許容され、この状態において第１引張部材を引っ張り操作することにより、アームを係止解除側へ揺動操作して、重量物を下方へ落下させることができる。前記第２引張部材を引っ張り操作する前に、第１引張部材を引っ張り操作しても、ストッパー部材がアームに接当していることから、第１引張部材の引っ張り操作を確実に阻止することができる。
【０００６】
また、前記アームの係止位置から係止解除位置までの揺動範囲を規制するための一対の接当部材を前記本体部に備えさせてもよい。
【０００７】
また、前記ストッパー部材が、前記本体部に揺動自在に取り付けられた揺動部材からなり、その揺動部材が前記アームの揺動を接当阻止する接当阻止位置に位置している状態において該揺動部材の接当部の接当方向が該揺動部材の揺動方向と直交する方向になるように該揺動部材を配置してもよい。
【０００８】
また、前記ストッパー部材の接当阻止位置から接当阻止解除位置までの揺動範囲を規制するための一対の第２の接当部材を前記本体部に備えさせてもよい。
【０００９】
また、前記第１引張部材と第２引張部材とは、同一方向に引っ張られることにより前記係止部を係止解除してもよい。
【００１０】
また、前記付勢手段は、その一端が前記本体部に、他端が前記アーム部に保持された引張ばねを使用してもよい。
【００１１】
また、前記重量物が、複数の帯筋からなり、それら複数の帯筋を括る前記括り部材が、チェーン又はワイヤーからなるようにしてもよい。
【発明の効果】
【００１２】
以上にしてなる本願発明に係る重量物吊下具は、引っ張り力をアームの揺動力に変換する構成にすることによって、引っ張り力にてピンをスライドさせる場合に比べて、引っ張り力が小さくて済み、操作性を高めることができる。又、重量物を括った括り部材によって、例えば多数本の帯筋を一纏めにして吊り下げることが可能になり、使用範囲の拡大を図ることができる。又、アームを揺動自在に本体部に備えさせる構成であることから、本体部にピン孔を形成する場合に本体部の強度低下を招くといったことがなく、その分軽量化を図ることができ、取扱面において有利になる。しかも、アームの係止解除側への揺動をストッパー部材による接当により確実に阻止することができ、２つの引張部材の操作順序を間違えたとしても、アームが係止解除側への揺動操作されることがなく、信頼性の高い商品とすることができる。
【００１３】
一対の接当部材によってアームの揺動範囲が規制されるので、括り部材の係止操作を容易にすることができるだけでなく、アームの組付作業も容易に行うことができる利点がある。
【００１４】
ストッパー部材が、本体部に揺動自在に取り付けられた揺動部材からなり、その揺動部材が前記アームの揺動を接当阻止する接当阻止位置に位置している状態において該揺動部材の接当部の接当方向が該揺動部材の揺動方向と直交する方向になるように該揺動部材を配置することによって、揺動部材にアームが接当しても揺動部材が揺動されることがなく、確実にストッパーとしての役割を果たすことができる。
【００１５】
ストッパー部材の接当阻止位置から接当阻止解除位置までの揺動範囲を規制するための一対の第２の接当部材を前記本体部に備えさせることによって、ストッパー部材の組付作業を容易に行うことができる利点がある。
【００１６】
第１引張部材と第２引張部材とを、同一方向に引っ張ることにより係止部を係止解除させる構成とすることによって、２つの引張部材の引っ張り操作を小さな操作力にて容易に行うことができる。
【発明を実施するための最良の形態】
【００１７】
本願発明に係る重量物吊下具１を構成する本体部２は、所定間隔を置いて面方向がほぼ平行となるように配置される板状で正面視ほぼ矩形状（円板状又は三角形状などでもよい）の一対の金属製のプレート２ａ，２ａからなり、それらプレート２ａ，２ａ間に、図１〜３に示すように、鋼材やクレーン等の固定部（具体的には図４〜図６に示す鋼材１８であるが、他のものであってもよい）に引っ掛けて本体部２を吊り下げ支持するためのフック部３と、帯筋等の重量物を括るチェーン（括り部材）４の一端部に備えさせた被係止部４ａに係止するための係止部５ａを備えた板状で金属製（ほぼ同等の強度を有するものであれば他の材料であってもよい）のアーム５と、前記アーム５を係止する位置側へ位置するように揺動付勢する引張ばね（付勢手段）６と、このアーム５を係止解除側に揺動することを接当阻止する板状でほぼＬ字状の金属製（ほぼ同等の強度を有するものであれば他の材料であってもよい）ストッパー部材７と、前記アーム５を係止解除側へ揺動操作するための第１引張手段８、前記ストッパー部材７を引張力にて解除操作するための第２引張手段９、前記アーム５の揺動範囲を規制する一対の接当部材１０ａ，１０ｂと、前記第２引張手段９を前記アーム５の揺動を接当阻止する位置側に付勢するためのスプリング１１、前記第２引張手段９の揺動範囲を規制するための一対の規制部材１２ａ，１２ｂと、前記チェーン４の他端を支持する支持部材１３とを備えている。また、前記本体部２は、２枚のプレート２ａ，２ａの間に前記アーム５、引張ばね６、ストッパー部材７、スプリング１１、接当部材１０ａ，１０ｂ、規制部材１２ａ，１２ｂが配置されている。前記プレート２ａ，２ａは、金属の他、ほぼ同等の強度を有するものであれば、他の材料から構成することができる。又、ここでは、本体部２を一対のプレート２ａ，２ａから構成することによって、中に配置する部品のカバー部材に兼用構成することができる利点があるが、場合によっては一枚のプレートあるいは塊状の部材から構成することもできる。尚、図３において、ピンＰ１，Ｐ２、補助用のピンＰ４、接当部材１０ａ及び支持部材１３の長手方向両側に形成されたねじ部がプレート２ａ，２ａの外側に貫通孔を介して突出し、その突出したねじ部に図示していないナットを螺合することによって、プレート２ａ，２ａ間に多数の部材を挟み込んだ状態で固定することができるようになっている。
【００１８】
前記フック部３は、一対のプレート２ａ，２ａ間を貫通するピンＰ３に取り付けられており、図４〜６に示すように、先端部に連結されたフック部材１６によって本体部２を鋼材１８に吊り下げ支持するものである。また、フック部材１６を、固定部１７に引っ掛けることによって、本体部２を吊り下げ支持できるようにしており、フック部材１６に代えて、チェーンやワイヤー等の部材であってもよい。
【００１９】
前記アーム５は、前記のように板状で直線状のアーム本体５ｂの長手方向一端を前記プレート２ａ，２ａのほぼ中心部に水平軸芯Ｘ周りで揺動自在にピンＰ１を介して取り付け、その一端からほぼＵ字状に延出されてチェーン４の一端を係止するための係止部５ａを備え、長手方向他端に前記引張ばね６の付勢力に抗して引張操作することによって係止解除側へ引っ張るための第１引張手段８のワイヤー８ａの一端が連結されたリング部材８Ｒを貫通装着している。前記チェーン４の一端をプレート２ａ，２ａの下端側で前記係止部５ａの近傍箇所に固定しているピンでなる支持部材１３に係止保持させてあり、チェーン４の他端を持って図４に示すように、後述する多数本の帯筋１４を一回りさせてからプレート２ａ，２ａの下端部でほぼ中央に形成してある上下方向の切欠き２Ｋ，２Ｋにチェーン４の他端を挿入した状態で、前記係止部５ａの先端をチェーン４の任意の被係止部４ａに係止することで多数本の帯筋１４を一纏めに括った状態で本体部２にて吊り下げ支持することができるようになっている。そして、このように多数本の帯筋１４でなる重量物を下方に吊り下げると、この重量物の重量によって揺動支点である水平軸芯Ｘがチェーン４との係止部の上方に位置しているアーム５が多数本の帯筋１４チェーン４により深く係止する側へ揺動されることになり、チェーン４との係止状態を強固に保持することができる利点がある。
【００２０】
前記ストッパー部材７は、それのほぼ中心部を水平軸芯Ｙ周りでプレート２ａ，２ａ間にピンＰ２を介して揺動自在に取り付けられた揺動部材からなり、前記スプリング１１の付勢力にてアーム本体５ｂの下端に接当する側に揺動付勢されている。図１に示すように、前記ストッパー部材７の水平軸芯Ｙを、前記アーム５の水平軸芯Ｘよりも下方に位置し、かつ、アーム本体５ｂ側に寄った位置に配置している。そして、水平軸芯Ｙを構成する中心部からアーム本体５ｂの下端に接当する偏平な接当面７ａを有する接当部７Ａと、この接当部７Ａに対して中心部からほぼ９０度の位置から直線状に延びるアーム部７Ｂとからなり、そのアーム７Ｂの先端（遊端）に第２引張手段９のワイヤー９ａの一端が連結されたリング部材９Ｒを貫通装着している。このアーム５のアーム本体５ｂに接当する接当部７Ａの接当方向Ｓが、図１に示すように、揺動部材７の揺動方向Ｔと直交し、図１で示すストッパー部材７がアーム本体５ｂと接当阻止状態であると、第１引張手段８を引っ張ってもアーム５が水平軸芯Ｘ周りで揺動しないように接当阻止できる構成となっている。前記チェーン４の係止状態を解除するときには、第２引張手段９のワイヤー９ａを引っ張ることにより前記ストッパー部材７を揺動させ、接当部７Ａの接当面７ａがアーム本体５ｂの下端に接当しないようにすることで、第１引張手段８のワイヤー８ａの引っ張り操作を許容する状態にすることができる。この状態から第１引張手段８のワイヤー８ａを引っ張ると、図２に示すように、アーム５が水平軸芯Ｘ周りで揺動し、係止部５ａがチェーン４から外れて両者の係止状態を解除し、多数本の帯筋１４でなる重量物を落下させることができるようになっている。前記第１引張手段８のワイヤー８ａ及び第２引張手段９のワイヤー９ａを引っ張ることを止めることにより、前記スプリング６及び１１の付勢力により図１で示した位置に自動的に復帰できるようになっている。
【００２１】
前記ストッパー部材７を揺動式に構成することによって、例えば接当ピンをアーム本体５ｂに接当する接当位置と接当しない非接当位置とに移動自在に設けるとともに、その接当ピンを接当する位置に付勢する付勢手段を設けて実施することもできる。又、プレート２ａ，２ａのうちの少なくとも一方に、アーム本体５ｂ側に突出するようにボールを備えさせ、このボールが入り込む凹部をアーム本体５ｂに備えさせて、ボートと凹部の係止によってアーム本体５ｂの係止解除側への揺動を阻止する構成であってもよい。又、前記スプリング６を省略して、アーム５の両側とプレート２ａ，２ａとの間にウエーブワッシャーを挟持保持させてアーム５を係止位置に保持させる部材とするようにしてもよい。この場合、係止解除されたアーム５を係止位置まで手動力にて戻す操作が必要になる。ここでは、２本のワイヤー８ａ，９ａを同一側に設けたアーム５及びストッパー部材７の端部に連結することによって、それらアーム５及びストッパー部材７の揺動操作が容易に行える利点があるが、場合によっては、同一側にアーム５及びストッパー部材７の端部を備えさせなくてもよい。
【００２２】
なお、図１〜３では括り部材４としてチェーンを用いることによって、重量物の大きさに合わせてチェーンを構成する多数のリング部材（被係止部４ａ）の任意のリング部材（被係止部４ａ）をアーム５の係止部５ａに係止することができ、括り部材４の長さ調節を容易に行える利点があるが、ワイヤーやロープ等であってもよい。また、前記チェーン４の一端は前記支持部材１３によって支持され、他端は前記係止部５ａに係止されているが、チェーン４の一端にフックを備えさせたものから構成しておけば、チェーン４の一端を係止部５ａに係止してから、他端を持って重量物に巻き付けてその他端のフックをチェーン４の任意の被係止部４ａに係止するように構成してもよいし、又前記切欠き２Ｋ，２Ｋをチェーン４の両端側の２つの任意の係止部４ａ，４ａを挿入することができる大きな幅に構成しておけば、チェーン４の両端側の係止部４ａ，４ａをアーム５の係止部５ａに係止することができる。
【００２３】
つぎに、鉄骨鉄筋コンクリート造（ＳＲＣ造）柱の施工工事において、重量物吊下具１を用いて帯筋を吊り下げたときの使用例を示す。
まず、図４に示すように、横に寝かせた状態の（施工完了時に縦方向に設置され鉄骨柱となる）第１の鋼材（Ｈ形鋼）１５の上端（図では左端）に水平方向（図では上下方向）に沿うように第２の鋼材（Ｈ形鋼）１８を溶接し、前記第２の鋼材１８の下端面（図では左端面）に下方（図では右方）に垂下状態で上端の棒状部（図示せず）が埋設されたリング状の固定部１７に、重量物吊下具１のフック部材１６を係止している。前記第１の鋼材１５に、必要な数の多数の帯筋１４，…，１４を挿入してあり、これら帯筋１４，…，１４に吊り下げられた重量物吊下具１のチェーン４の一端を持って一回りさせることで括ってから、該チェーン４の一端を前述のように係止部５ａに係止させて固定する。この状態から、クレーンなどを用いて横になっていた鋼材１５を立てて、縦方向に姿勢変更させる（図５に示している）。そして、鋼材１５の下部をアンカー（図示しない）等で固定させる。このようにすると、帯筋１４を上方から吊り下げられているので、アンカー等による第１の鋼材１５の固定作業も容易にできる。また、前記ストッパー部材７によってアーム５の揺動が阻止されているので、帯筋１４の不用意な落下を防止することができ、施工工事の安全性を高めることもできる。
また、チェーン４やワイヤー等の括り部材で、帯筋１４を括っているので、バンセンで括るときに比べて確実に帯筋１４を吊り下げることができ、足場として使用した場合にもその落下を確実に防止することができる。
【００２４】
そして、帯筋１４を落下させる場合には、作業者は周りに人が居ないことを確認すると同時に、落下する帯筋１４が当たらないように安全な場所まで移動し、前記第２引張手段に一端がつながっているワイヤー９ａの他端を引っ張る。そして、ワイヤー９ａを引っ張った状態で、第１引張手段８のワイヤー８ａを引っ張り、図２に示すように、帯筋１４を保持していたチェーン４を係止部５ａから離脱させて、図６に示すように、帯筋１４の係止状態が解除され全ての帯筋１４が落下する。
このように帯筋１４を落下させる場合でも、従来のように多数の帯筋１４を括って保持しているワイヤーやチェーン等を直接切断したり、取り外す操作を行うことなく、帯筋１４を吊り下げている場所から離れた遠隔地から容易かつ迅速に操作して解除することができる利点がある。
【図面の簡単な説明】
【００２５】
【図１】一方のプレートを取り外した重量物吊下具に重量物を吊り下げた状態の正面図である。
【図２】一方のプレートを取り外した重量物吊下具に吊り下げた重量物を落下させる状態の正面図である。
【図３】一方のプレートを取り外した重量物吊下具の分解斜視図である。
【図４】横に倒した鋼材に挿通した多数の帯筋を重量物吊下具にて括った状態を示す説明図である。
【図５】図４の鋼材を縦向きに立てた状態の説明図である。
【図６】図５の状態から帯筋を落下させた状態の説明図である。
【符号の説明】
【００２６】
１    重量物吊下具
２    本体部
２ａ  プレート
２Ｋ  切欠き
３    フック部
４    チェーン，括り部材
４ａ  被係止部
５    アーム
５ａ  係止部
６    引張ばね
７    ストッパー部材
７ａ  接当部
８    第１引張手段
８ａ  ワイヤー
８Ｒ，９Ｒ  リング部材
９    第２引張手段
９ａ  ワイヤー
１０ａ，１０ｂ  接当部材
１１  スプリング
１２ａ，１２ｂ  規制部材
１３  支持部材
１４  帯筋
１５  鋼材
１６  フック部材
１７  固定部
１８  鋼材
【図１】
2006176230.tif 000003
【図２】
2006176230.tif 000004
【図３】
2006176230.tif 000005
【図４】
2006176230.tif 000006
【図５】
2006176230.tif 000007
【図６】
2006176230.tif 000008